(57)【特許請求の範囲】
【請求項１】
揺動すると共に、揺動の回転中心軸の方向に延長する開口部(11)を底面に設けているピペットチップをランダムに供給する供給口(12)を開口してなるホッパー(10)と、このホッパー(10）を揺動させる駆動機構(20)と、揺動するホッパー(10)の開口部(11）をピペットチップ(W）が漏れないように閉塞する底蓋(30）とを備え、
底蓋(30)は、ホッパー(10)の開口部(11）を閉塞する上面の形状を、揺動するホッパー(10）の開口部(11)からピペットチップ(W)が漏れないように閉塞する形状とし、かつ、揺動する運動方向に直交する方向に延長するスリット(31）を上面に開口するように設けており、このスリット(31)はピペットチップ(W)の鍔を通過できないが、ピペットチップ(W)のほぼ全体を通過できる幅として鍔が引っかかって垂直の姿勢で供給できるようにしており、
駆動機構(20)が、ホッパー(10)の開口部(11)を底蓋(30)の上面に沿って移動するようにホッパー(10）を揺動して、ホッパー(10)にランダムに収納しているピペットチップ(W)を底蓋(30)のスリット(31)に案内し、ピペットチップ(W)の鍔をスリット(31)の上面に係止する垂直姿勢でスリット(31)に沿って搬送して排出して、スリット(31)で整列して排出するようにしてなる一端の外形が大きいピペットチップの取出装置。
【請求項２】
ホッパー(10)が開口部(11)にゴム状弾性体(14)を固定しており、ゴム状弾性体(14)を底蓋(30)に接近させてなる請求項１に記載されるピペットチップの取出装置。
【請求項３】
積層して移送されるピペットチップの鍔を引っかけて引き抜く除去アーム(50)を有する請求項１に記載されるピペットチップの取出装置。
【請求項４】
除去アーム(50)がホッパー(10)と一緒に揺動しない固定部(35)に傾動できるように配設され、除去アーム(50)を傾動させる傾動機構(52)が、ホッパー(10)と除去アーム(50)との対向部分に固定している永久磁石(53)である請求項３に記載されるピペットチップの取出装置。
【請求項５】
底蓋(30)が、スリット(31)に移送されるピペットチップに積層して移送されるピペットチップの鍔を引っかけて上昇させる傾斜上昇スリット(32)を有し、傾斜上昇スリット(32)はピペットチップの移送方向に向かって上り勾配に傾斜すると共に、この傾斜上昇スリット(32)に除去アーム(50)の先端を配設して、傾斜上昇スリット(32)に沿って移送されるピペットチップを除去アーム(50)で除去するようにしてなる請求項３又は４に記載されるピペットチップの取出装置。
【発明の詳細な説明】
【技術分野】
【０００１】
本発明は、一端の外形が大きいピペットチップを整列して排出する装置に関し、とくに、ピペットチップを整列して排出するのに最適な取出装置に関する。
【背景技術】
【０００２】
一端の外形が大きいピペットチップであるピペットチップは、垂直に立てる姿勢でトレイに縦横に並べて搬送される。トレイに収納する状態で自動の試験機等にセットして使用される。ピペットチップを使用した後、トレイが残るので、これを廃棄する必要がある。ピペットチップは、全国で極めて多く使用されている。このため、廃棄されるトレイも極めて多く、廃棄に多くの経費を必要としているのが実状である。この弊害は、ピペットチップをトレイに特定の姿勢でセットすることなく、たとえば袋や箱に入れて搬送したものを、試験機にセットする方式で解消できる。ただ、トレイはピペットチップを特定の姿勢で、特定の位置に配設しているので、自動の試験機でピペットチップの取出機構を簡単にできる。袋や箱で搬送されるピペットチップは、自動試験機にセットされる状態で、姿勢と位置が特定されず、ばらばらな状態でセットされる。したがって、試験機が種々の姿勢でばらばらに供給されるピペットチップを、ひとつずつ特定の姿勢で取り出す必要がある。
【０００３】
姿勢が特定されないピペットチップを取り出して特定の姿勢に並べる機構は開発されている（特許文献１および２参照）。
【特許文献１】
特開２０００−１９１８２号公報
【特許文献２】
特開２００１−１８７６２９号公報
【０００４】
特許文献１の公報に記載されるピペットチップの取出装置は、ランダムに供給されるピペットチップを、ほぼ垂直な姿勢のコンベアで上昇して１個に分離し、コンベアで供給されるピペットチップを、傾斜面に落下させる。傾斜面はスリットに向かって下り勾配に傾斜しており、スリットにピペットチップを落下させる。スリットは、ピペットチップの鍔を通過できない隙間としている。したがって、ピペットチップは、鍔を引っかける姿勢でスリットから排出される。この取出装置は、構造が複雑で製造コストが高くなる。高価な取出装置は、ランダムに供給されるピペットチップをトレイに供給するための装置には使用できる。ただ、試験機には複雑で高価な機構を採用するのが難しい。それは、ピペットチップをトレイに供給する装置に比較して、試験機の数が極めて多くなるからである。したがって、試験機に取出装置を設けてトレイを省略するためには、簡単で安価な取出装置が必要となる。さらに、従来のこの装置は、ピペットチップを傾斜面に落下させるので、この衝撃がピペットチップを損傷させるなどの悪い影響を与える欠点もある。
【０００５】
さらに、特許文献２の公報に記載される取出装置は、ピペットチップをランダムに供給する回転ドラムを備える。この回転ドラムは、内面にピペットチップのすくい樋を設けている。回転ドラムが回転されると、ピペットチップをすくい樋に載せて持ち上げた後、このすくい樋からスライドレールに落下させる。スライドレールのピペットチップは、落下ガイドを通過してトレイの定位置に落下される。この構造の取出装置も構造が複雑で製作コストが高くなる。また、ピペットチップを落下させるので、その衝撃で損傷を受けやすい欠点がある。
【０００６】
本発明は、従来の取出装置が有する以上の欠点を解決することを目的に開発されたものである。本発明の重要な目的は、極めて簡単な構造で製造コストを低減して、ランダムに供給されるピペットチップ等のピペットチップを特定の姿勢に並べて取り出しできる一端の外形が大きいピペットチップの取出装置を提供することにある。
また、本発明の他の大切な目的は、ピペットチップの衝撃と損傷を少なくして、ランダムに供給されるピペットチップを並べて取り出しできる一端の外形が大きいピペットチップの取出装置を提供することにある。
【発明の開示】
【０００７】
上記目的を達成するために本発明者らは鋭意検討を重ねた結果、本発明を完成するに至った。本発明の請求項１の取出装置は、一端の外形が大きいピペットチップＷを取り出す装置であって、揺動すると共に、揺動の回転中心軸の方向に延長する開口部１１を底面に設けているホッパー１０と、このホッパー１０を揺動させる駆動機構２０と、揺動するホッパー１０の開口部１１をピペットチップＷが漏れないように閉塞する底蓋３０とを備える。底蓋３０は、ホッパー１０の開口部１１を閉塞する上面の形状を、揺動するホッパー１０の開口部１１が移動する軌跡に沿う形状とし、かつ、揺動する運動方向に直交する方向に延長するスリット３１を上面に開口するように設けている。このスリット３１は、ピペットチップＷの鍔を通過できないが、ピペットチップＷのほぼ全体を通過できる幅として鍔が引っかかって垂直の姿勢で供給できるようにしている。取出装置は、駆動機構２０がホッパー１０の開口部１１を底蓋３０の上面に沿って移動するようにホッパー１０を揺動して、ホッパー１０に収納しているピペットチップＷを底蓋３０のスリット３１に案内し、ピペットチップＷの鍔をスリット３１の上面に係止する垂直姿勢でスリット３１に沿って搬送して排出して、スリット３１で整列して排出する。
本発明の請求項２の取出装置は、底蓋３０を振動して、スリット３１に案内されたピペットチップＷを排出する。
【０００８】
さらに、本発明の取出装置は、ホッパー１０の開口部１１にゴム状弾性体１４を固定して、ゴム状弾性体１４を底蓋３０に接近させることができる。
【０００９】
また、本発明の取出装置は、ホッパー１０の開口部１１に固定しているゴム状弾性体１４の幅を、ホッパー１０が傾動させると先端縁がスリット３１に接近するようにできる。本発明の取出装置は、ゴム状弾性体に代わって、ホッパー１０の開口部１１に傾動プレート１５を連結することができる。この傾動プレートは、先端縁が底蓋３０に接近するように連結している。本発明の取出装置は、傾動プレート１５に弾性体１６を連結して、弾性体１５でもって傾動プレート１５の先端縁を底蓋３０に接近できる。
【００１０】
さらに、本発明の取出装置は、ピペットチップＷをピペットチップとして、積層して移送されるピペットチップの鍔を引っかけて引き抜く除去アーム５０を備えことができる。本発明の取出装置は、除去アーム５０を、ホッパー１０と一緒に揺動しない固定部３５に傾動できるように設けると共に、除去アーム５０を傾動させる傾動機構５２を、ホッパー１０と除去アーム５０との対向部分に固定している永久磁石５３とすることができる。
【００１１】
さらに、本発明の取出装置は、底蓋３０に、スリット３１に移送されるピペットチップに積層して移送されるピペットチップの鍔を引っかけて上昇させる傾斜上昇スリット３２を設けることができる。この傾斜上昇スリット３２は、ピペットチップの移送方向に向かって上り勾配に傾斜すると共に、この傾斜上昇スリット３２に除去アーム５０の先端を配設して、傾斜上昇スリット３２に沿って移送されるピペットチップを除去アーム５０で除去することができる。
【００１２】
本発明の取出装置は、傾斜上昇スリット３２の先端と底蓋３０との間に、最下段のピペットチップＷの鍔Ｔを通過させる隙間３３を設けており、この隙間３３がピペットチップの鍔Ｔの厚さの２倍よりも狭くできる。
【００１３】
本発明の取出装置は、極めて簡単な構造で、製造コストを低減できる機構でもって、ランダムに供給されるピペットチップ等のピペットチップを特定の姿勢に並べ取り出しできる特長がある。それは、取出装置がホッパーを揺動させて開口部に設けている底蓋のスリットに案内して、スリットから取り出すからである。
【００１４】
また、以上の機構で、ピペットチップを取り出す本発明の取出装置は、ピペットチップの衝撃と損傷を少なくして、特定の姿勢に並べて取り出しできる特長もある。
【発明を実施するための最良の形態】
【００１５】
以下、本発明の実施例を図面に基づいて説明する。ただし、以下に示す実施例は、本発明の技術思想を具体化するための取出装置を例示するものであって、本発明は取出装置を下記のものに特定しない。
【００１６】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１７】
以下、本発明の一実施例として、一端の外形が大きいピペットチップをピペットチップとする取出装置について詳述する。ただし、本発明の取出装置は、ピペットチップ以外の一端の外形が大きいピペットチップを整列することもできる。
【００１８】
図１と図２に示す取出装置は、揺動する回転中心軸の方向に延長する開口部１１を底面に設けているホッパー１０と、このホッパー１０を揺動させる駆動機構２０と、揺動するホッパー１０の開口部１１を閉塞するように配設している底蓋３０と、底蓋３０のスリット３１に案内されたピペットチップＷを搬送する搬送機構４０と、スリット３１に案内された積層状態のピペットチップＷを除去する除去アーム５０とを備える。
【００１９】
ホッパー１０は、上にピペットチップＷを供給する供給口１２を開口して、底面には底蓋３０で閉塞される開口部１１を設けている。図１のホッパー１０は、平面状の底板１３の中央に開口部１１を設けている。底板１３を平面状とするホッパー１０は、スリット３１でピペットチップＷがブリッジにならないようにスリット３１に案内できる。ただし、ピペットチップは、底板を開口部に向かって傾斜させることもできる。図のホッパー１０は、開口部１１の幅をホッパー１０全体の幅よりも狭くしている。このホッパー１０は、多量のピペットチップＷを収納して、底蓋３０のスリット３１に案内できる。ただし、ホッパーは、底全体を開口部とすることもできる。ホッパー１０に設けている開口部１１の幅は、ホッパー１０が最も傾いた姿勢で、開口部１１の側縁が底蓋３０のスリット３１の近傍にあって、スリット３１を閉塞しないようにする。したがって、ホッパー１０が揺動する最大傾斜角度と、底蓋３０の太さを考慮して最適値とする。
【００２０】
揺動するホッパー１０の最大傾動角度は、好ましくは約３０度とする。ただし、ホッパー１０は、最大傾動角度が５〜６０度、より好ましくは１０〜４５度となるように揺動させることもできる。また、ホッパー１０が揺動する周期は、好ましくは約３秒とする。ただし、揺動する周期は０．５〜１０秒、より好ましくは１〜５秒とすることもできる。ホッパー１０を揺動させる周期を長くすると、ピペットチップＷがホッパー１０内でゆっくりと移動するので、損傷を著しく少なくできる。ただ、ホッパー１０の周期が長すぎると、ピペットチップＷをスリット３１に案内するのにかかる時間が長くなる。したがって、ホッパー１０が揺動する周期は、ピペットチップＷを排出する時間を考慮して最適値とする。
【００２１】
ピペットチップＷは、ホッパー１０内で底蓋３０に設けているスリット３１の方向に向いてスリット３１に入れられる。ピペットチップＷは、最大外形がスリット３１の幅よりも大きいので、この最大外形部（ピペットチップにおいては鍔）がひっかかってスリット３１に垂直の姿勢で供給される。図３に示すように、スリット３３１は、下方に向かって次第に幅が狭くなる形状として、ピペットチップＷの最大外形部を通過できないが、ピペットチップＷのほぼ全体を通過できる幅とすることもできる。この図において、３３０は、底板を示している。
【００２２】
ピペットチップＷをスリット３１の方向に向けることができるように、ホッパー１０は長さをピペットチップＷよりも長くしている。ホッパー１０は、揺動できるように、片側あるいは両側を底蓋３０又はフレーム６０に連結する。ただし、ホッパーは底蓋の上に載せて揺動させることもできるので、必ずしも底蓋やフレームに連結する必要はない。また、駆動機構でもってホッパーを支持しながら揺動させることもできる。
【００２３】
ホッパー１０は、傾動する状態で、開口部１１が底蓋３０で閉塞される。ホッパー１０は、開口部１１にゴム状弾性体１４を固定して、ゴム状弾性体１４を底蓋３０に接近させている。このホッパー１０は、開口部１１の先端縁を底蓋３０に隙間ができないように接近できると共に、開口部分が底蓋３０の表面をスムーズに摺動して、摩耗を少なくできる。また、このゴム状弾性体１４は、好ましくは交換できるように固定される。このゴム状弾性体１４は、摩耗すると交換して開口部１１と底蓋３０との間に隙間ができないようにできる。
【００２４】
底蓋３０は、揺動するホッパー１０の開口部１１からピペットチップＷが漏れないように開口部１１を閉塞する。ホッパー１０は揺動するので、底蓋３０の上面形状は、揺動するホッパー１０の開口部１１が移動する軌跡に沿う形状として、ホッパー１０が揺動してもピペットチップＷが開口部１１と底蓋３０との間から漏れないようにしている。図の取出装置は、ホッパー１０を円弧に沿う軌跡に揺動させるので、底蓋３０の上面形状を円弧に沿う形状としている。ただ、底蓋は、上面形状を楕円に沿う形状として、揺動するホッパーの開口部を閉塞することもできる。上面を円形ないし楕円形に沿う形状とする底蓋３０の取出装置は、ホッパー１０の開口部１１をスムーズに移動できる。とくに、開口部１１にゴム状弾性体１４を設けているホッパー１０は、ゴム状弾性体１４を底蓋３０の上面に摺動させてスムーズに移動できる。ただ、底蓋は、上面を多角形に沿う形状として、揺動するホッパーの開口部をピペットチップが漏れないように閉塞することもできる。多角形に沿う形状の上面の底蓋は、ホッパーが揺動するときに、開口部と底蓋との間の隙間の幅が変化する。ただ、開口部と底蓋との最大隙間を、ピペットチップの漏れない幅にすれば、ピペットチップが漏れないようにホッパーを揺動できる。さらに、ホッパーの開口部のゴム状弾性体を固定し、ゴム状弾性体を変形させて、開口部と底蓋との隙間を閉塞することもできる。
【００２５】
細長いピペットチップは、スリットの近傍で絡まり状態、すなわちジャミング状態となることがある。ピペットチップのジャミングは、板状のゴム状弾性体の幅を広くして解消できる。このことを実現するゴム状弾性体は、ホッパーが最大傾斜角度に傾動する状態で、その先端縁をスリットに接近させる幅を有する。このゴム状弾性体は、ホッパーが傾動される毎に、その先端縁をスリットの近傍まで移動させる。スリットの近傍まで移動するゴム状弾性体は、その先端縁で、スリットの近傍で絡まり状態となっているピペットチップを移動させてジャミングを解消する。このことを実現するゴム状弾性体は、ホッパーがもっとも大きく傾斜する最大傾斜状態で、その先端縁をスリットの内側に、あるいはスリットの側縁に、あるいはまたスリットの外側に位置させる。ホッパーの最大傾斜状態で先端縁をスリットの内側あるいは側縁まで移動させるゴム状弾性体は、スリットに垂直な姿勢で案内されているピペットチップの鍔を押圧する。したがって、このゴム状弾性体は、スリットに案内されているピペットチップの鍔を押圧してそれ自体が弾性変形する。この構造のゴム状弾性体は、スリットの近傍におけるピペットチップのジャミングを有効に解消できる。ホッパーの最大傾動位置において、先端縁をスリットの外側に位置させるゴム状弾性体は、スリットに案内されるピペットチップの鍔を押圧しない。このため、このゴム状弾性体は、スリットに正常に案内されているピペットチップの鍔は押圧せず、スリットの近傍でジャミング状態となっているピペットチップのみを移動してジャミングを解消する。このため、スリットに案内されたピペットチップをスムーズに移動できる特徴がある。ただ、ホッパーの最大傾斜状態において、先端縁をスリットの外側に位置させるゴム状弾性体は、スリットに案内されたピペットチップの鍔を軽く押圧することもあるので、このゴム状弾性体は、鍔を押圧してそれ自体が弾性変形する。
【００２６】
ホッパーは、図４に示すように、ゴム状弾性体に代わって傾動プレート４１５を連結することもできる。傾動プレート４１５は、ホッパー４１０の開口部４１１に傾動できるように連結される。傾動プレート４１５は、その先端縁を底蓋４３０に接近させて、揺動するホッパー４１０からピペットチップが漏れないように閉塞する。傾動プレート４１５は、自重で傾動して先端を底蓋４３０に接近させる。ただ、図に示すように、傾動プレート４１５に弾性体４１６を連結し、弾性体４１６でもって傾動プレート４１５の先端縁を底蓋４３０に接近させることもできる。
【００２７】
底蓋３０は、ホッパー１０が揺動する運動方向に直交する方向に延長してスリット３１を設けている。このスリット３１は、底蓋３０の上面に開口するように設けている。スリット３１は、ピペットチップＷの最大外形部を通過させず、最大外形部以外の部分であるほぼ全体を通過させる幅としている。ピペットチップＷをスリット３１に入れて、最大外形部である鍔をスリット３１の上面に係止する垂直姿勢でスリット３１に沿って搬送して排出するためである。スリット３１は、底蓋３０の端部まで延長して設けている。ここに案内しているピペットチップＷをスリット３１で底蓋３０の外部に排出するためである。ピペットチップＷは垂直の姿勢でスリット３１で排出される。したがって、スリット３１は、垂直な方向に開口されるように底蓋３０に設けられる。ただ、スリットは、多少傾斜する姿勢でピペットチップを排出することもできるので、必ずしも垂直な姿勢で設ける必要はなく、傾斜する姿勢とすることもできる。ピペットチップＷであるピペットチップは、鍔を設けて最大外形部としている。したがって、スリット３１は鍔を通過できないが、鍔以外の部分を通過できる幅としている。
【００２８】
駆動機構２０は、ホッパー１０を揺動させる。図の駆動機構２０は、モーター２１で回転されるクランク機構２２と、このクランク機構２２のクランクアーム２３に連結しているコンロッド２４とを備える。コンロッド２４は下端をクランクアーム２３に連結して、上端をホッパー１０の片側に、各々球関節２５を介して連結している。モーター２１がクランクアーム２３を回転させると、コンロッド２４が往復運動して、ホッパー１０を揺動させる。この駆動機構２０は、簡単な機構でホッパー１０を揺動できる。ただ、本発明の取出装置は、ホッパーを揺動させる駆動機構を図に示す機構には特定せず、ホッパーを揺動できる全ての機構、たとえば伸縮するシリンダーをホッパーに連結し、このシリンダーを伸縮させてホッパーを揺動することもできる。
【００２９】
搬送機構４０は、底蓋３０のスリット３１に案内されたピペットチップＷをスリット３１に沿って排出する。図の搬送機構４０は底蓋３０を振動させる振動機である。振動機は、ピペットチップＷをスリット３１に沿って移送するように底蓋３０を振動させる。振動機は、極めて簡単な構造で、ピペットチップＷをスリット３１に沿って移送できる。ただ、搬送機構は、底蓋を振動させる機構に特定されない。スリットのピペットチップを排出できる全ての機構、たとえば、スリットのピペットチップに空気を噴射して移送する構造、あるいは、底蓋をピペットチップの移送方向に傾斜させる構造、あるいはスリットの内面にコンベアを設ける機構等も使用できる。
【００３０】
内部を空洞としているピペットチップ等のピペットチップＷは、複数本が積層されることがある。内部の空洞に別のピペットチップＷが挿入されて積層されるからである。ピペットチップＷを１本に分離してスリット３１から排出するために、図の取出装置は、積層して移送されるピペットチップＷを除去する除去アーム５０と傾斜上昇スリット３２を備えている。
【００３１】
傾斜上昇スリット３２は、スリット３１に沿って搬送される最下段のピペットチップＷを上昇させることなく、その下に通過させて、最下段のピペットチップＷに積層して移送されるピペットチップＷを上昇させる。最下段のピペットチップＷに積層されて移送されるピペットチップＷは、最大外形部が最下段のピペットチップＷの最大外形部よりも高い位置を移動する。傾斜上昇スリット３２は、その先端と底蓋３０との間に、最下段のピペットチップＷの最大外形部を通過させる隙間３３を設けている。この隙間３３は、最下段のピペットチップＷの最大外形部のみを通過できる隙間としている。隙間３３は、ピペットチップＷの鍔Ｔの厚さの２倍よりも狭くしている。隙間３３をこの間隔とする傾斜上昇スリット３２は、図５に示すように、下段のピペットチップＷに挿通されない状態で、鍔Ｔのみが二重に積層される状態でピペットチップＷが隙間３３を通過するのを防止できる。二重に重なる鍔Ｔを通過させないからである。最下段のピペットチップＷに積層して移送されるピペットチップＷの最大外形部は、傾斜上昇スリット３２に沿って、移送するにしたがって上昇される。したがって、傾斜上昇スリット３２の先端は、最下段のピペットチップＷに積層して移送するピペットチップＷの最大外形部よりも下方に位置している。傾斜上昇スリット３２は、ピペットチップＷの最大外形部を引っかけて上昇できるように、その幅をピペットチップＷの最大外形部よりも狭くして、最大外形部以外の部分を通過できる幅としている。傾斜上昇スリット３２は、ピペットチップＷの移送方向に向かって上り勾配に傾斜している。
【００３２】
図６は、取出装置の傾斜上昇スリット３２の近傍を示す斜視図である。この図の取出装置は、傾斜上昇スリット３２の両側に円錐カバー３４を固定している。ホッパー１０の開口部１１は、この円錐カバー３４を貫通させるように、一端に向かって次第に幅を広くしている。円錐カバー３４のある取出装置は、傾斜上昇スリット３２とホッパー１０との間にピペットチップＷが詰まるのを解消できる。
【００３３】
傾斜上昇スリット３２は、その途中に除去アーム５０の先端を配設している。除去アーム５０は、傾斜上昇スリット３２に沿って移送されるピペットチップＷを引き上げて、最下段のピペットチップＷから除去する。すなわち、除去アーム５０は、ピペットチップＷであるピペットチップの最大外形部である鍔を引っかけて下のピペットチップＷから引き抜く。傾斜上昇スリット３２と除去アーム５０のある取出装置は、積層状態の解除された最下段のピペットチップＷのみをスリット３１から排出する。傾斜上昇スリットを設けないで、除去アームのみで積層しているピペットチップを除去することもできる。この除去アームは、最下段のピペットチップに積層して移送されるピペットチップの最大外形部である鍔よりも下方に、降下位置にある先端を位置させる。
【００３４】
除去アーム５０は、ホッパー１０と一緒に揺動しない固定部３５に傾動できるように配設している。図の除去アーム５０は、底蓋３０を固定部として、ここに傾動できるように連結している。除去アーム５０を固定するために、底蓋３０に垂直に伸びる支柱３６を固定し、この支柱３６に、垂直面内で傾動できるように除去アーム５０を連結している。除去アーム５０は、スリット３１を含む垂直面内で傾動できるように、回転軸５１を介して支柱３６に連結している。除去アーム５０は、傾動機構５２で傾動されて、積層して移送されるピペットチップＷを引き抜く。
【００３５】
図の傾動機構５２は、ホッパー１０と除去アーム５０との対向部分に固定している永久磁石５３である。除去アーム５０は、支柱３６に連結している部分から上方に駆動アーム５４を延長して、この駆動アーム５４に第１の永久磁石５３Ａを固定している。さらに、ホッパー１０には、揺動するときに第１の永久磁石５３Ａと対向する位置に、第２の永久磁石５３Ｂを固定している。この傾動機構５２は、ホッパー１０が揺動すると、第１の永久磁石５３Ａに、第２の永久磁石５３Ｂが接近したり離れたりする運動を繰り返す。第１の永久磁石５３Ａと第２の永久磁石５３Ｂは、互いに対向する面を互いに異なるＮ極とＳ極としている。第２の永久磁石５３Ｂは、図１に示すように、第１の永久磁石５３Ａが移動する軌跡に点在して配設している。したがって、ホッパー１０が揺動して、第２の永久磁石５３Ｂが第１の永久磁石５３Ａに接近するときに、除去アーム５０が先端を上昇させる方向に傾動される。ホッパー１０が揺動して、第２の永久磁石５３Ｂが第１の永久磁石５３Ａから離れると、除去アーム５０は先端を降下させる方向に自重で傾動する。さらに、図示しないが、第１の永久磁石の移動軌跡に対向する位置に、第１の永久磁石との対向面を同じ磁極とする第２の永久磁石を配設すると、この第２の永久磁石の反発力で除去アームを速やかに、先端を降下させる方向に傾動できる。この傾動機構は、第１の永久磁石が第２の永久磁石の異なる磁極との対向面を移動するときに先端を上昇し、第１の永久磁石が第２の永久磁石と同じ磁極との対向面を移動するときに先端を降下させる。すなわち、永久磁石の磁気的な吸引力と反発力で速やかに除去アームを傾動できる。永久磁石の磁気的な力で除去アームを傾動させる傾動機構は、極めて簡単な構造で除去アームを傾動できる。
【００３６】
磁気的な力で傾動される除去アーム５０は、先端を上昇させる方向に傾動して、積層しているピペットチップＷを先端で引っかけて最下段のピペットチップＷから引き抜くことができる。除去アーム５０は、傾動して積層して移送されるピペットチップＷを先端で引っかけて引き抜きできるように、その先端には、図７に示すように、一対の引掛片５０Ａを有する。引掛片５０Ａの幅は、ピペットチップＷの最大外形よりも狭く、ピペットチップＷのその他の部分を通過できるように、傾斜上昇スリット３２の幅にほぼ等しくしている。
【００３７】
降下位置にある除去アーム５０は、傾斜上昇スリット３２の内部、すなわち傾斜上昇スリット３２よりも下に配設される。この除去アーム５０は、傾斜上昇スリット３２で移送されるピペットチップＷを引っかけて除去するように上昇して、最下段のピペットチップＷから除去する。したがって、除去アーム５０は、その先端を、スリット３１を移送される最下段のピペットチップＷは引っかけないが、最下段のピペットチップＷに積層して移送されるピペットチップＷを引っかける位置としている。
【産業上の利用可能性】
【００３８】
本発明の取出装置は、血液の分析に使用するピペットチップ等のように、一端に鍔があって一端の外形が大きいピペットチップを、トレイ等に整列して並べることなく、ランダムな姿勢で供給して、これを整列して取り出す装置に使用できる。
【図面の簡単な説明】
【００３９】
図１は、本発明の一実施例にかかるピペットチップの取出装置の横断面図であり、図２は、図１に示すピペットチップ（この図において棒状ワークと記載）の取出装置の縦断面図であり、図３は、スリットの他の一例を示す拡大断面図であり、図４は、ホッパーの他の一例を示す断面図であり、図５は、鍔が二重に積層されたピペットチップが移送される状態を示す拡大断面図であり、図６は、図１に示すピペットチップの取出装置の傾斜上昇スリットの近傍を示す斜視図であり、図７は、除去アームの先端部分の拡大平面図である。
【図１】
0004378761.tif 000002
【図２】
0004378761.tif 000003
【図３】
0004378761.tif 000004
【図４】
0004378761.tif 000005
【図５】
0004378761.tif 000006
【図６】
0004378761.tif 000007
【図７】
0004378761.tif 000008